(57)【要約】【課題】信号を増幅する増幅器で発生する歪みを補償する歪み補償増幅装置で、連続波であるかバースト波であるかに応じて、温度変化に応じた歪み補償を行う。【解決手段】記憶手段３１が増幅器４による増幅対象となる信号が連続波である場合及びバースト波である場合における温度と歪み補償態様との対応付け３２、３３を記憶し、連続波バースト波検出手段２３が増幅器４による増幅対象となる信号が連続波であるか或いはバースト波であるかを検出し、温度検出手段２１が温度を検出し、制御部２４などから成る歪み補償手段が連続波バースト波検出手段２３による検出結果に対応した対応付け３２、３３に基づいて検出された温度に対応した歪み補償態様を用いて歪み補償を行う。【選択図】　　　図１
2004040280.tif 000002
【特許請求の範囲】
【請求項１】
信号を増幅する増幅器で発生する歪みを補償する歪み補償増幅装置において、
増幅器による増幅対象となる信号が連続波である場合における温度と歪み補償態様との対応付けを記憶する連続波温度歪み補償態様記憶手段と、
増幅器による増幅対象となる信号がバースト波である場合における温度と歪み補償態様との対応付けを記憶するバースト波温度歪み補償態様記憶手段と、
増幅器による増幅対象となる信号が連続波であるか或いはバースト波であるかを検出する連続波バースト波検出手段と、
温度を検出する温度検出手段と、
連続波温度歪み補償態様記憶手段とバースト波温度歪み補償態様記憶手段とで連続波バースト波検出手段による検出結果に対応した温度歪み補償態様記憶手段に基づいて、温度検出手段により検出された温度に対応した歪み補償態様を用いて歪み補償を行う歪み補償手段と、
を備えたことを特徴とする歪み補償増幅装置。
【発明の詳細な説明】
【０００１】
【発明の属する技術分野】
本発明は、信号を増幅する増幅器で発生する歪みを補償する歪み補償増幅装置に関し、特に、連続波であるか或いはバースト波であるかに応じて、温度変化に応じた歪み補償を行う歪み補償増幅装置に関する。
【０００２】
【従来の技術】
例えば携帯電話システムなどの基地局装置では、共通増幅器を備えて、当該共通増幅器により信号を増幅することが行われる。
通常の共通増幅器においては、その利得を一定に保つために、フィードバックループによる補正を用いて温度による利得の変動を防ぐことや、或いは、可変減衰器又は可変増幅器と温度検出装置と制御部内の温度補償用対応表を用いて温度による利得の変動を防ぐことが行われる。
【０００３】
ここで、図５及び図６を参照して、簡単な利得補正の方法を用いた共通増幅器の例を示す。
図５には、フィードバックループを有した共通増幅器の構成例を示してある。同図に示した共通増幅器では、入力端から入力される信号を副増幅器８１により増幅し、当該増幅後の信号を可変減衰器８２により減衰し、当該減衰後の信号を主増幅器８３により増幅し、当該増幅後の信号を出力端から出力する。これに際して、当該増幅信号を検波回路８４により検波し、制御部８５が当該検波結果に基づいて可変減衰器８２の減衰量をフィードバック制御することにより、当該共通増幅器全体としての利得を一定に保持することを図る。なお、可変減衰器８２の代わりに、信号を可変な利得で増幅する可変増幅器を用いることもできる。
【０００４】
このフィードバックループによる補正法では、共通増幅器からの出力電力を一定にするために、出力部に設けられた検波回路８４による検波電圧が一定になるように前段に組み込まれた可変減衰器（若しくは、可変増幅器）８２を制御する。
しかしながら、この補正法では、共通増幅器の利得の仕様を満たすのに十分なダイナミックレンジ及び分解能を有した高確度の検波回路が必要となってしまい、また、一定の利得が要求される共通増幅器においてはその入力レベルについても高確度に検出することが必要となってしまう。このため、このようなフィードバックループによる補正法を用いた共通増幅器の実施は、技術面やコスト面などで困難がある。
【０００５】
これに対して、図６には、温度補償用の対応表を有した共通増幅器の構成例を示してある。
同図に示した共通増幅器では、入力端から入力される信号を副増幅器９１により増幅し、当該増幅後の信号を可変減衰器９２により減衰し、当該減衰後の信号を主増幅器９３により増幅し、当該増幅後の信号を出力端から出力する。これに際して、主増幅器９３に備えられた温度検出素子から成る温度検出部９４により温度を検出し、制御部９５が当該検出結果に基づいて可変減衰器９２の減衰量を制御することにより、当該共通増幅器全体としての利得を一定に保持することを図る。
【０００６】
制御部９５では、温度と可変減衰器９２の制御態様とを対応付ける温度補償用対応表１０２を記憶装置１０１に記憶しており、当該温度補償用対応表１０２に基づいて温度に応じて可変減衰器９２の減衰量を制御する。なお、可変減衰器９２の代わりに、信号を可変な利得で増幅する可変増幅器を用いることもできる。
【０００７】
この温度補償用対応表による補正法では、利得変動の主要因である増幅装置（本例では、副増幅器９１や主増幅器９３）の温度による利得変動を事前に評価してその利得変動を補正するための対応表（温度補償用対応表）１０２を制御部９５内の記憶装置１０１内に備え、そして、増幅装置内に設けられた温度検出部９４により得られる温度情報を参照して前段に組み込まれた可変減衰器（若しくは、可変増幅器）９２を制御する。
【０００８】
ここで、一般的に、副増幅器９１や主増幅器９３はその増幅率に温度特性を有している。
通常は、周囲温度が常温（２５℃）であり規定入力が入力される状態であって可変減衰器９２の減衰量（若しくは、可変増幅器の増幅量）が可変範囲の中央値（Ｖ）である状態で規定の利得（Ｇ）となるように、共通増幅器は調整されている。この状態における温度検出部９４からの温度情報をＴとする。
【０００９】
そして、周囲温度が変化すると、例えば温度情報はＴ＋ΔＴへ変化して利得はＧ＋ΔＧへ変化するため、可変減衰器９２の減衰量をＶ＋ΔＧへ制御することにより（若しくは、可変増幅器の増幅量をＶ−ΔＧへ制御することにより）、共通増幅器全体としての利得Ｇを一定に保つことができる。具体的には、温度検出部９４からＴ＋ΔＴの情報を受けた制御部９５が可変減衰器の減衰量（若しくは、可変増幅器の増幅量）をΔＧだけ変化させる。このような制御を行うために、制御部９５内にＴ＋ΔＴとΔＧとの対応表を有する。
【００１０】
ところで、近年のＣＤＭＡ（Ｃｏｄｅ　Ｄｉｖｉｓｉｏｎ　Ｍｕｌｔｉｐｌｅ　Ａｃｃｅｓｓ）などの無線通信では送信電力の制御が重要な要素となっており、共通増幅器においてはその利得の安定度が重要となっている。
また、低消費電力化のために、ＣＤＭＡにおいてもバースト波が用いられる場合がある。この場合、共通増幅器においても消費電力が抑えられるため、相対的に各種の発熱部品における発熱量が低下する。
【００１１】
なお、検波回路に関してはバースト波でも連続波と同等な検波電圧が得られるような工夫が特開平５−８３０５９号公報や特開平９−３６７７７号公報などで述べられている。
特開平５−８３０５９号公報に記載された「ＡＧＣ回路」では、入力されるバースト波の最初の部分では第１の時定数の時定数回路を使用する一方当該バースト波の他の部分では当該第１の時定数より長い第２の時定数の時定数回路を使用してバースト波の信号レベルの検出結果を平滑化して、当該バースト波に対するゲインを増幅器に設定することにより、バースト波の入力信号レベルを一定に保持することが図られている。
【００１２】
特開平９−３６７７７号公報に記載された「送信電力出力制御回路」では、連続するタイムスロットにより送信される各バースト信号について当該各バースト信号の送信電力を増幅器により増幅した結果の検波電圧を２つのピークホールド回路に交互に蓄積保持し、バースト信号の送信時には当該バースト信号の１タイムスロット前に送信されたバースト信号について蓄積保持された検波電圧と基準電圧とを比較して当該比較結果に基づいて当該増幅器の増幅度を制御することにより、送信されるバースト波の電力を一定に保持することが図られている。
【００１３】
また、例えば携帯電話システムなどの基地局装置では、信号を増幅器により増幅するに際して、当該増幅器で発生する歪みを補償することが行われている。
例えば、特開２００１−２１７６５５号公報に記載された「増幅装置」では、フィードフォワード方式により歪み補償が行われており、これに際して、温度変化に応じて歪み補償態様が制御されていて、温度変化に対する補償が行われている。
【００１４】
【発明が解決しようとする課題】
しかしながら、例えば上記図６に示したような温度補償においては、連続波とバースト波とで発熱部品の発熱量が異なることから、連続波とバースト波とで上記したＴ＋ΔＴとΔＧとの相関関係が変化してしまい、このため、例えば連続波に合わせた装置ではバースト波においては適正な温度補償が行われなくなってしまうことや若しくは温度補償の精度が劣化してしまうことが生じるといった不具合があった。また、増幅器で発生する歪みを補償する装置においても、同様に、連続波とバースト波とで発熱部品の発熱量が異なることから、例えば連続波に合わせた装置ではバースト波においては適正な温度補償が行われなくなってしまうことや若しくは温度補償の精度が劣化してしまうことが生じるといった不具合があった。
【００１５】
本発明は、このような従来の課題を解決するためになされたもので、信号を増幅する増幅器で発生する歪みを補償するに際して、連続波であるか或いはバースト波であるかに応じて、温度変化に応じた歪み補償を行うことができる歪み補償増幅装置を提供することを目的とする。
【００１６】
【課題を解決するための手段】
上記目的を達成するため、本発明に係る歪み補償増幅装置では、信号を増幅する増幅器で発生する歪みを補償するに際して、次のようにして、温度変化に応じて歪み補償を行う。
すなわち、連続波温度歪み補償態様記憶手段が増幅器による増幅対象となる信号が連続波である場合における温度と歪み補償態様との対応付けを記憶し、バースト波温度歪み補償態様記憶手段が増幅器による増幅対象となる信号がバースト波である場合における温度と歪み補償態様との対応付けを記憶する。そして、連続波バースト波検出手段が増幅器による増幅対象となる信号が連続波であるか或いはバースト波であるかを検出し、温度検出手段が温度を検出し、歪み補償手段が、連続波温度歪み補償態様記憶手段とバースト波温度歪み補償態様記憶手段とで連続波バースト波検出手段による検出結果に対応した温度歪み補償態様記憶手段に基づいて、温度検出手段により検出された温度に対応した歪み補償態様を用いて歪み補償を行う。
【００１７】
従って、信号を増幅する増幅器で発生する歪みを補償するに際して、増幅器による増幅対象となる信号が連続波であるか或いはバースト波であるかに応じて、温度変化に応じた歪み補償が行われるため、連続波とバースト波との両方に対応して歪み補償に関して温度補償を行うことができ、これにより、温度にかかわらずに歪み補償の精度を安定化することができる。
【００１８】
ここで、増幅器による増幅対象となる信号としては、種々な信号が用いられてもよく、連続波やバースト波が用いられる。
また、増幅器としては、種々なものが用いられてもよく、例えば１個の増幅素子から構成されてもよく、或いは、複数の増幅素子を組み合わせて構成されてもよい。
また、歪み補償の精度としては、種々な精度が用いられてもよい。具体的には、増幅器により増幅された信号に含まれる歪み成分を低減させる程度としては、種々な程度が用いられてもよい。
【００１９】
また、連続波やバースト波としては、種々な信号が用いられてもよく、通常、連続波としては例えば比較的長い時間継続する信号が用いられ、バースト波としては例えば比較的短い時間だけ継続する信号が用いられる。
また、温度と歪み補償態様との対応付けとしては、種々な対応付けの態様が用いられてもよく、例えば、表を用いた態様や、関数を用いた態様などを用いることができる。通常は、このような表の内容や関数や関数の係数などとして、連続波とバースト波とで異なるものが設定される。
【００２０】
また、歪み補償態様としては、種々な態様が用いられてもよく、例えば歪み補償を行うために信号の振幅や位相を変化させるベクトル調整処理に関する態様などを用いることができる。
また、連続波温度歪み補償態様記憶手段やバースト波温度歪み補償態様記憶手段としては、例えばメモリを用いて構成することができる。
【００２１】
また、信号が連続波であるか或いはバースト波であるかを検出する仕方としては、種々な仕方が用いられてもよく、例えば、外部からの情報に基づいて検出する仕方や、時定数が異なる複数の検波器を用いた仕方や、検波方式が異なる複数の検波器を用いた仕方や、信号の波形に基づく仕方などを用いることができる。
【００２２】
また、温度検出手段により温度を検出するところとしては、種々なところが用いられてもよく、例えば増幅器の温度を検出する態様や、増幅器の周囲の温度を検出する態様などを用いることができる。
また、連続波バースト波検出手段による検出結果に対応した温度歪み補償態様記憶手段としては、連続波であることが検出された場合には連続波温度歪み補償態様記憶手段が用いられ、バースト波が検出された場合にはバースト波温度歪み補償態様記憶手段が用いられる。
【００２３】
次に、更に、本発明に係る歪み補償増幅装置の構成例を示す。
本発明に係る歪み補償増幅装置では、一構成例として、歪み補償手段は、歪み補償を実行する歪み補償実行手段と、温度変化に応じて歪み補償実行手段の歪み補償態様を制御する歪み補償制御手段とから構成される。
【００２４】
また、歪み補償実行手段は、増幅器による増幅対象となる信号の振幅と位相との一方又は両方を変化させる増幅対象信号変化手段と、増幅器により増幅された信号と増幅器による増幅対象となる信号とを合成して増幅器により増幅された信号に含まれる増幅器で発生した歪み成分を検出する歪み成分検出手段と、歪み成分検出手段により検出された歪み成分の振幅と位相との一方又は両方を変化させる歪み成分変化手段と、歪み成分変化手段により変化させられた歪み成分を増幅する歪み増幅器と、増幅器により増幅された信号と歪み増幅器により増幅された歪み成分とを合成して増幅器により増幅された信号に含まれる歪み成分を低減させる歪み成分低減手段とを用いて構成される。
【００２５】
また、連続波温度歪み補償態様記憶手段及びバースト波温度歪み補償態様記憶手段には、増幅対象信号変化手段と歪み成分変化手段との一方又は両方の制御態様が歪み補償態様として記憶される。
そして、歪み補償制御手段は、連続波温度歪み補償態様記憶手段とバースト波温度歪み補償態様記憶手段とで連続波バースト波検出手段による検出結果に対応した歪み補償態様記憶手段に基づいて、温度検出手段により検出された温度に対応した制御態様を用いて増幅対象信号変化手段と歪み成分変化手段との一方又は両方を制御する。
【００２６】
ここで、増幅対象信号変化手段や歪み成分変化手段では、増幅対象となる信号や歪み成分の信号について、信号の振幅のみを変化させてもよく、信号の位相のみを変化させてもよく、或いは、信号の振幅と位相との両方を変化させてもよい。
【００２７】
また、増幅器により増幅された信号と増幅器による増幅対象となる信号とを合成する態様としては、例えば増幅器による増幅対象となる信号について互いに同一の振幅で且つ逆位相となるような関係又はこれに近い関係で合成するような態様を用いることが好ましい。
また、増幅器により増幅された信号と歪み増幅器により増幅された歪み成分とを合成する態様としては、例えば歪み増幅器により増幅された歪み成分について互いに同一の振幅で且つ逆位相となるような関係又はこれに近い関係で合成するような態様を用いることが好ましい。
【００２８】
また、歪み増幅器としては、種々なものが用いられてもよく、例えば１個の増幅素子から構成されてもよく、或いは、複数の増幅素子を組み合わせて構成されてもよい。
また、歪み補償態様としては、増幅対象信号変化手段の制御態様が用いられてもよく、歪み成分変化手段の制御態様が用いられてもよく、或いは、これら両方の制御態様が用いられてもよい。歪み補償制御手段は、歪み補償態様として用いられる制御態様を用いて当該制御態様に対応した変化手段（増幅対象信号変化手段、或いは歪み成分変化手段、又はこれら両方の手段）を制御する。
【００２９】
また、本発明に係る歪み補償増幅装置では、一構成例として、連続波温度歪み補償態様記憶手段及びバースト波温度歪み補償態様記憶手段には、増幅対象信号変化手段と歪み成分変化手段との一方又は両方に関するパラメータの初期値が歪み補償態様として記憶される。また、歪み補償制御手段は、連続波温度歪み補償態様記憶手段とバースト波温度歪み補償態様記憶手段とで連続波バースト波検出手段による検出結果に対応した歪み補償態様記憶手段に基づいて温度検出手段により検出された温度に対応したパラメータの初期値を増幅対象信号変化手段と歪み成分変化手段との一方又は両方に設定するパラメータ初期値設定手段と、パラメータ初期値設定手段により初期値が設定されたパラメータを当該初期値から変化させて歪み補償後の信号に含まれる歪み成分を低減させるパラメータ変化手段とを用いて構成される。
【００３０】
ここで、増幅対象信号変化手段と歪み成分変化手段との一方又は両方としては、増幅対象信号変化手段のみが用いられてもよく、歪み成分変化手段のみが用いられてもよく、或いは、これら両方の手段が用いられてもよい。
また、パラメータとしては、種々なものが用いられてもよく、例えば回路に関するパラメータなどを用いることができる。
また、パラメータ変化手段によりパラメータを初期値から変化させる態様としては、種々な態様が用いられてもよく、例えば歪み補償後の信号に含まれる歪み成分を低減させるようにパラメータを変化させていくような態様が用いられる。
【００３１】
また、本発明に係る歪み補償増幅装置では、一構成例として、増幅対象信号変化手段及び歪み成分変化手段は、信号の振幅を変化させる信号振幅変化手段と、信号の位相を変化させる信号位相変化手段との一方又は両方を用いて構成される。
ここで、信号振幅変化手段としては、例えば、信号の振幅を低減させる可変減衰器や、信号の振幅を増加させる可変増幅器を用いることができる。
また、信号位相変化手段としては、例えば、信号の位相を変化させる可変位相器を用いることができる。
【００３２】
また、本発明に係る歪み補償増幅装置では、一構成例として、連続波温度歪み補償態様記憶手段とバースト波温度歪み補償態様記憶手段との一方又は両方には、温度と歪み補償態様との対応付けが、温度と歪み補償態様との関数として記憶される。
ここで、温度と歪み補償態様との関数としては、種々な関数が用いられてもよい。
また、例えば、連続波とバースト波とで、係数のみが異なる関数を用いることもでき、或いは、係数及び係数以外の部分も異なるような関数を用いることもできる。
【００３３】
また、本発明に係る歪み補償増幅装置では、一構成例として、温度検出手段は、増幅器の温度又は増幅器の周辺の温度を検出する。
また、本発明に係る歪み補償増幅装置では、一構成例として、増幅器による増幅対象となる信号は、複数の周波数成分を含む場合がある。
ここで、複数の周波数成分を含む信号としては、種々な信号が用いられてもよく、例えばマルチキャリアの信号を用いることができる。
また、この場合、増幅器としては、例えば複数の周波数成分をまとめて増幅することが可能な共通増幅器が用いられる。
【００３４】
また、本発明に係る歪み補償増幅装置は、例えば無線通信システムの基地局装置や中継増幅局装置などに適用するのに好適なものである。
一構成例として、本発明に係る基地局装置などは、通信信号として連続波とバースト波との両方が用いられる無線通信システムに設けられ、以上に示したような歪み補償増幅装置を備え、送信対象となる信号を当該歪み補償増幅装置により増幅する。
【００３５】
ここで、無線通信システムとしては、種々なシステムが用いられてもよく、例えば、携帯電話システムやＰＨＳ（Ｐｅｒｓｏｎａｌ　Ｈａｎｄｙ　ｐｈｏｎｅ　Ｓｙｓｔｅｍ）などの移動通信システムや、ＦＷＡ（Ｆｉｘｅｄ　Ｗｉｒｅｌｅｓｓ　Ａｃｃｅｓｓ）システムなどの加入者無線アクセスシステムなどを用いることができる。
また、通信方式としては、種々な通信方式が用いられてもよく、例えば、ＣＤＭＡ方式や、ＴＤＭＡ（Ｔｉｍｅ　Ｄｉｖｉｓｉｏｎ　Ｍｕｌｔｉｐｌｅ　Ａｃｃｅｓｓ）方式や、ＦＤＭＡ（Ｆｒｅｑｕｅｎｃｙ　Ｄｉｖｉｓｉｏｎ　Ｍｕｌｔｉｐｌｅ　Ａｃｃｅｓｓ）方式などを用いることができる。また、通信信号や、送信対象となる信号としては、種々な信号が用いられてもよい。
【００３６】
次に、本発明と同様な技術を適用した増幅装置の構成例を示す。
本例に係る増幅装置では、次のような構成により、温度変化に応じて信号を増幅する。
すなわち、信号を増幅する増幅器と、増幅器による増幅対象となる信号の振幅を変化させる増幅対象信号振幅変化手段と、増幅器による増幅対象となる信号が連続波である場合における温度と増幅対象信号振幅変化手段の制御態様との対応付けを記憶する連続波温度制御態様記憶手段と、増幅器による増幅対象となる信号がバースト波である場合における温度と増幅対象信号振幅変化手段の制御態様との対応付けを記憶するバースト波温度制御態様記憶手段と、増幅器による増幅対象となる信号が連続波であるか或いはバースト波であるかを検出する連続波バースト波検出手段と、温度を検出する温度検出手段と、連続波温度制御態様記憶手段とバースト波温度制御態様記憶手段とで連続波バースト波検出手段による検出結果に対応した温度制御態様記憶手段に基づいて温度検出手段により検出された温度に対応した制御態様を用いて増幅対象信号振幅変化手段を制御する増幅対象信号振幅変化制御手段とを備えた。
【００３７】
ここで、本例に係る増幅装置では、連続波温度制御態様記憶手段及びバースト波温度制御態様記憶手段には、例えば、増幅対象信号振幅変化手段の制御態様として、当該増幅装置の利得を一定に保持することを目的として設定される制御態様が記憶される。なお、利得を一定に保持する態様としては、必ずしも利得を一定の値に保持するような態様ばかりでなく、利得を一定の範囲に保持するような態様が用いられてもよい。
【００３８】
従って、信号を増幅器により増幅するに際して、増幅器による増幅対象となる信号が連続波であるか或いはバースト波であるかに応じて、温度変化に応じた振幅変化が増幅対象となる信号に対して与えられるため、連続波とバースト波との両方に対応して信号増幅に関して温度補償を行うことができ、これにより、温度にかかわらずに信号増幅の利得を安定化することができる。
【００３９】
ここで、増幅器による増幅対象となる信号としては、種々な信号が用いられてもよく、連続波やバースト波が用いられる。
また、増幅器としては、種々なものが用いられてもよく、例えば１個の増幅素子から構成されてもよく、或いは、複数の増幅素子を組み合わせて構成されてもよい。
【００４０】
また、増幅対象信号振幅変化手段としては、例えば、信号の振幅を低減させる可変減衰器や、信号の振幅を増加させる可変増幅器を用いることができる。
また、増幅対象信号振幅変化手段としては、例えば、増幅器の前段に備えられてもよく、増幅器の後段に備えられてもよく、或いは、複数の増幅素子から構成されるような増幅器の中段に備えられてもよい。
【００４１】
また、温度と増幅対象信号振幅変化手段の制御態様との対応付けとしては、種々な対応付けの態様が用いられてもよく、例えば、表を用いた態様や、関数を用いた態様などを用いることができる。通常は、このような表の内容や関数や関数の係数などとして、連続波とバースト波とで異なるものが設定される。
【００４２】
また、増幅対象信号振幅変化手段の制御態様としては、種々な態様が用いられてもよく、例えば信号の振幅を変化させる量（振幅変化量）に関する態様などを用いることができる。
また、連続波温度制御態様記憶手段やバースト波温度制御態様記憶手段としては、例えばメモリを用いて構成することができる。
【００４３】
また、温度検出手段により温度を検出するところとしては、種々なところが用いられてもよく、例えば増幅器の温度を検出する態様や、増幅器の周囲の温度を検出する態様などを用いることができる。
また、連続波バースト波検出手段による検出結果に対応した温度制御態様記憶手段としては、連続波であることが検出された場合には連続波温度制御態様記憶手段が用いられ、バースト波が検出された場合にはバースト波温度制御態様記憶手段が用いられる。
【００４４】
また、本例に係る増幅装置では、一構成例として、連続波温度制御態様記憶手段とバースト波温度制御態様記憶手段との一方又は両方には、温度と制御態様との対応付けが、温度と制御態様との関数として記憶される。
【００４５】
また、本例に係る増幅装置では、一構成例として、連続波バースト波検出手段は、外部からの情報に基づいて、増幅器による増幅対象となる信号が連続波であるか或いはバースト波であるかを検出する。
ここで、外部としては、種々なものが用いられてもよく、例えば、本例に係る増幅装置が備えられる装置の制御部などを用いることができる。
また、外部からの情報としては、種々な情報が用いられてもよく、例えば連続波或いはバースト波を示す情報などを用いることができる。
【００４６】
また、本例に係る増幅装置では、一構成例として、連続波バースト波検出手段は、時定数が異なる複数の検波器を用いて構成され、各検波器による検波電圧の差に基づいて、増幅器による増幅対象となる信号が連続波であるか或いはバースト波であるかを検出する。通常、連続波については早い応答時間でも遅い応答時間でも同様な検波電圧を得ることが可能であるが、バースト波については応答時間が遅い方が検波電圧が低くなる。
ここで、時定数としては、種々な時定数が用いられてもよい。
また、複数の検波器の数としては、種々な数が用いられてもよい。
また、検波器としては、種々な検波器が用いられてもよい。
【００４７】
また、本例に係る増幅装置では、一構成例として、連続波バースト波検出手段は、検波方式が異なる複数の検波器を用いて構成され、各検波器による検波結果の差に基づいて、増幅器による増幅対象となる信号が連続波であるか或いはバースト波であるかを検出する。
ここで、検波方式としては、種々な検波方式が用いられてもよい。
また、複数の検波器の数としては、種々な数が用いられてもよい。
また、検波器としては、種々な検波器が用いられてもよい。
【００４８】
また、本例に係る増幅装置では、一構成例として、連続波バースト波検出手段は、増幅器による増幅対象となる信号の波形に基づいて、増幅器による増幅対象となる信号が連続波であるか或いはバースト波であるかを検出する。
また、本例に係る増幅装置では、一構成例として、温度検出手段は、増幅器の温度又は増幅器の周辺の温度を検出する。
また、本例に係る増幅装置では、一構成例として、増幅器による増幅対象となる信号は、複数の周波数成分を含む場合がある。
【００４９】
また、本例に係る増幅装置は、例えば無線通信システムの基地局装置や中継増幅局装置などに適用するのに好適なものである。
一構成例として、本発明に係る基地局装置などは、通信信号として連続波とバースト波との両方が用いられる無線通信システムに設けられ、以上に示したような増幅装置を備え、送信対象となる信号を当該増幅装置により増幅する。
【００５０】
【発明の実施の形態】
本発明に係る実施例を図面を参照して説明する。
図１には、本発明に係る歪み補償増幅装置の一例として、フィードフォワード方式により歪み補償を行う歪み補償増幅装置の構成例を示してある。本例の歪み補償増幅装置は、例えば移動通信システムの基地局装置などに設けられて、送信対象となるマルチキャリアの信号を主増幅器４により増幅し、これに際して、当該主増幅器４で発生する歪みを補償する。
【００５１】
同図に示されるように、本例の歪み補償増幅装置には、外部入力端子Ｐと、分配器（第１の分配器）１と、減衰器（第１の減衰器）２と、位相器（第１の位相器）３と、増幅器（主増幅器）４と、分配器（第２の分配器）５と、遅延線（第１の遅延線）６と、合成器（第１の合成器）７と、減衰器（第２の減衰器）８と、位相器（第２の位相器）９と、増幅器（歪み増幅器）１０と、遅延線（第２の遅延線）１１と、合成器（第２の合成器）１２と、外部出力端子Ｑとが備えられている。
【００５２】
また、同図に示されるように、本例の歪み補償増幅装置には、制御系として、周囲温度検出器２１と、入力レベル検出器２２と、信号種別検出器２３と、制御部２４とが備えられている。
また、制御部２４には、記憶装置２４が備えられている。
また、記憶装置２４には、連続波用温度補償用対応表３２と、バースト波用温度補償用対応表３３が記憶されている。
【００５３】
第１の分配器１は、外部入力端子Ｐから入力される信号を分配し、一方の分配信号を第１の減衰器２へ出力し、他方の分配信号を第１の遅延線６へ出力する。第１の減衰器２は、制御部２４により制御される減衰量で、第１の分配器１から入力される信号を減衰させて第１の位相器３へ出力する。
第１の位相器３は、制御部２４により制御される位相変化量で、第１の減衰器２から入力される信号の位相を変化させて主増幅器４へ出力する。
なお、第１の減衰器２による減衰と第１の位相器３による位相変化により、ベクトル調整処理が実現される。
【００５４】
主増幅器４は、第１の位相器３から入力される信号を増幅して第２の分配器５へ出力する。
第２の分配器５は、主増幅器４から入力される信号を分配し、一方の分配信号を第２の遅延線１１へ出力し、他方の分配信号を第１の合成器７へ出力する。
第１の遅延線６は、第１の分配器１から入力される信号を遅延させて第１の合成器７へ出力する。
【００５５】
第１の合成器７は、第２の分配器５から入力される信号と第１の遅延線６から入力される信号とを合成し、当該合成結果を第２の減衰器８へ出力する。ここで、本例では、第２の分配器５からの信号と第１の遅延線６からの信号とを合成する場合に、増幅対象となる信号の周波数成分（外部入力端子Ｐから入力される信号の周波数成分）が合成結果において低減されるように例えば第１の遅延線６の遅延量や第１の減衰器２の減衰量や第１の位相器３の位相変化量が調整され、これにより、当該合成結果として例えば主増幅器４で発生した歪み成分が得られる
。
【００５６】
第２の減衰器８は、制御部２４により制御される減衰量で、合成器７から入力される歪み成分の信号を減衰させて第２の位相器９へ出力する。
第２の位相器９は、制御部２４により制御される位相変化量で、第２の減衰器８から入力される歪み成分の信号の位相を変化させて歪み増幅器１０へ出力する。
なお、第２の減衰器８による減衰と第２の位相器８による位相変化により、ベクトル調整処理が実現される。
【００５７】
歪み増幅器１０は、第２の位相器９から入力される歪み成分の信号を増幅して第２の合成器１２へ出力する。
第２の遅延線１１は、第２の分配器５から入力される信号を遅延させて第２の合成器１２へ出力する。
【００５８】
第２の合成器１２は、第２の遅延線１１から入力される信号と歪み増幅器１０から入力される歪み成分の信号とを合成し、当該合成結果を外部出力端子Ｑへ出力する。ここで、本例では、第２の遅延線１１からの信号と歪み増幅器１０からの信号とを合成する場合に、主増幅器４で発生した歪み成分の周波数成分が合成結果において低減されるように例えば第２の遅延線１１の遅延量や第２の減衰器８の減衰量や第２の位相器９の位相変化量が調整され、これにより、当該合成結果として例えば主増幅器４により増幅された信号から当該主増幅器４で発生した歪み成分を低減させた信号が得られ、増幅後の信号として外部へ出力される。
【００５９】
周囲温度検出器２１は、例えば温度検出素子から構成され、主増幅器４や歪み増幅器１０の周囲の温度を検出し、当該検出結果を制御部２４へ出力する。
入力レベル検出器２２は、外部入力端子Ｐから入力される増幅対象となる信号のレベル（例えば、電力）を検出し、当該検出結果を制御部２４へ出力する。
信号種別検出器２３は、外部入力端子Ｐから入力される増幅対象となる信号に基づいて、当該信号が連続波であるか或いはバースト波であるかを検出し、当該検出結果を制御部２４へ出力する。
【００６０】
連続波用温度補償用対応表３２では、連続波に関して、複数の温度とそれぞれの温度における歪み補償態様とが対応付けて設定されている。
同様に、バースト波用温度補償用対応表３３では、バースト波に関して、複数の温度とそれぞれの温度における歪み補償態様とが対応付けて設定されている。本例では、歪み補償態様として、第１の減衰器２の減衰量の初期値と、第１の位相器３の位相変化量の初期値と、第２の減衰器８の減衰量の初期値と、第２の位相器９の位相変化量の初期値が設定されている。
【００６１】
また、本例では、一般に、例えば主増幅器４や歪み増幅器１０の非線形性などにより、外部入力端子Ｐから入力される信号のレベルに応じて第１の減衰器２の減衰量や第１の位相器３の位相変化量や第２の減衰器８の減衰量や第２の位相器９の位相変化量の好ましい値が変化することから、歪み補償態様として、温度と入力レベルとの両方に依存する情報が用いられている。
【００６２】
制御部２４は、信号種別検出器２３による検出結果に基づいて、入力信号が連続波であることが検出された場合には連続波用温度補償用対応表３２を参照する一方、入力信号がバースト波であることが検出された場合にはバースト波用温度補償用対応表３３を参照して、周囲温度検出器２１により検出された温度及び入力レベル検出器２２により検出された入力レベルに対応した歪み補償態様で第１の減衰器２と第１の位相器３と第２の減衰器８と第２の位相器９を制御する。
【００６３】
本例では、制御部２４は、第１の減衰器２の減衰量と第１の位相器３の位相変化量と第２の減衰器８の減衰量と第２の位相器９の位相変化量として、連続波であるか或いはバースト波であるかの信号種別と周囲温度と入力レベルに対応した初期値を設定し、これら４つのパラメータ（２つの減衰量及び２つの位相変化量）のそれぞれを当該設定した初期値から変化させて、外部出力端子Ｑから出力される信号に含まれる歪み成分が小さくなるようにする。なお、制御部２４は、例えば外部出力端子Ｑから出力される信号の一部を取得して、当該一部の信号に含まれる歪み成分のレベル（例えば、電力）を検出し、検出される歪み成分のレベルが小さくなるようにパラメータを変化させる。
【００６４】
図２には、（１）連続波用温度補償用対応表３２の内容の一例と、（２）バースト波用温度補償用対応表３３の内容の一例を示してある。なお、この例では、温度変化や入力レベルの変化に対して、各パラメータの初期値が温度と入力レベルの関数値として算出されるとする。
【００６５】
（１）連続波用温度補償用対応表３２では、（ａ）通常状態として、周囲温度が２５［℃］±ａ［℃］であり入力レベル（入力電力）が規定入力±ｂ［ｄＢ］である状態については、第１の減衰器２の減衰量のパラメータ初期値がＡであり、第１の位相器３の位相変化量のパラメータ初期値がＢであり、第２の減衰器８の減衰量のパラメータ初期値がＣであり、第２の位相器９の位相変化量のパラメータ初期値がＤであることが設定されている。
【００６６】
また、（１）連続波用温度補償用対応表３２では、（ｂ）周囲温度変化状態として、周囲温度が２５［℃］−ｃ［℃］であり入力レベル（入力電力）が規定入力±ｂ［ｄＢ］である状態については、第１の減衰器２の減衰量のパラメータ初期値が（Ａ−α）と算出され、第１の位相器３の位相変化量のパラメータ初期値が（Ｂ−β）と算出され、第２の減衰器８の減衰量のパラメータ初期値が（Ｃ−γ）と算出され、第２の位相器９の位相変化量のパラメータ初期値が（Ｄ−δ）と算出されることが設定されている。
【００６７】
一方、（２）バースト波用温度補償用対応表３３では、（ａ）通常状態として、上記したＡ、Ｂ、Ｃ、Ｄの代わりにＡ’、Ｂ’、Ｃ’、Ｄ’が設定されており、これら４つのパラメータ初期値の一部又は全部が連続波用とバースト波用とで異なっている。
また、（２）バースト波用温度補償用対応表３３では、（ｂ）周囲温度変化状態として、上記した（Ａ−α）、（Ｂ−β）、（Ｃ−γ）、（Ｄ−δ）の代わりに（Ａ’−α’）、（Ｂ’−β’）、（Ｃ’−γ’）、（Ｄ’−δ’）が設定されており、これら４つのパラメータ初期値の一部又は全部が連続波用とバースト波用とで異なっている。
【００６８】
なお、（１）連続波用温度補償用対応表３２の内容や（２）バースト波用温度補償用対応表３３の内容としては、同図に示したもの以外にも種々な内容が設定されてもよい。
また、上記したａ、ｂ、ｃ、Ａ、Ｂ、Ｃ、Ｄ、Ａ’、Ｂ’、Ｃ’、Ｄ’　（Ａ−α）、（Ｂ−β）、（Ｃ−γ）、（Ｄ−δ）、（Ａ’−α’）、（Ｂ’−β’）、（Ｃ’−γ’）、（Ｄ’−δ’）としては種々な値が用いられてもよく、ｃ＞ａである。
【００６９】
以上のように、本例の歪み補償増幅装置では、連続波とバースト波を検出する信号種別検出器２３と、周囲温度を検出する周囲温度検出器２１と、ベクトル調整に関して連続波及びバースト波に対応した複数の歪み補償用の対応表３２、３３を有して周囲温度に応じて歪み補償を制御する制御部２４を備えて、信号種別検出器２３により連続波であることを検出した場合には連続波用の対応表３２を読み込む一方、信号種別検出器２３によりバースト波であることを検出した場合にはバースト波用の対応表３３を読み込んで、歪み補償に関して温度補償を行う。
【００７０】
従って、本例の歪み補償増幅装置では、連続波とバースト波に対応した温度補償を行うことができ、これにより、例えば増幅器４、１０の温度の変動にかかわらずに、歪み補償を高速に安定化させることが可能となり、また、これにより例えば増幅後の信号に含まれる歪み成分を高速に小さくすることができることから通信品質を向上させることができる。
なお、本例の歪み補償増幅装置では、温度の変動と同様に入力レベルの変動についても補償しており、つまり、歪み補償に関して入力レベル補償も行っている。
【００７１】
ここで、本例の歪み補償増幅装置では、連続波用温度補償用対応表３２の内容により連続波に関する温度と歪み補償態様との対応付けが構成されており、バースト波用温度補償用対応表３３の内容によりバースト波に関する温度と歪み補償態様との対応付けが構成されており、記憶装置３１の機能により連続波温度歪み補償態様記憶手段やバースト波温度歪み補償態様記憶手段が構成されており、信号種別検出器２３の機能により連続波バースト波検出手段が構成されており、周囲温度検出器２１の機能により温度検出手段が構成されている。
【００７２】
また、本例では、第１の減衰器２の機能により増幅対象となる信号に関する信号振幅変化手段が構成されており、第１の位相器３の機能により増幅対象となる信号に関する信号位相変化手段が構成されており、これらの手段により増幅対象信号変化手段が構成されている。
また、本例では、第２の減衰器８の機能により歪み成分の信号に関する信号振幅変化手段が構成されており、第２の位相器９の機能により歪み成分の信号に関する信号位相変化手段が構成されており、これらの手段により歪み成分変化手段が構成されている。
【００７３】
また、本例の歪み補償増幅装置では、第１の合成器７の機能により歪み成分検出手段が構成されており、第２の合成器１２の機能により歪み成分低減手段が構成されており、これらの手段や第１の分配器１の機能や増幅対象信号変化手段２、３や第２の分配器５の機能や第１の遅延線６の機能や歪み成分変化手段８、９や歪み増幅器１０の機能や第２の遅延線１１の機能により歪み補償実行手段が構成されている。
【００７４】
また、本例の歪み補償増幅装置では、制御部２４の機能によりパラメータ初期値設定手段やパラメータ変化手段が構成されており、これらの手段により歪み補償制御手段が構成されている。
また、本例の歪み補償増幅装置では、歪み補償実行手段と歪み補償制御手段により歪み補償手段が構成されている。
【００７５】
次に、本発明と同様な技術を適用した増幅装置の構成例を示す。
まず、本例に係る増幅装置の一例を示す。
図３には、本例に係る増幅装置の構成例を示してあり、本例に係る増幅装置は共通増幅器として構成されている。
本例に係る増幅装置には、副増幅器４１と、可変減衰器４２と、主増幅器４３と、温度検出部４４と、制御部４５とが備えられている。ここで、温度検出部４４は、主増幅器４４に備えられている。
また、制御部４５には、記憶装置５１が備えられている。
また、記憶装置５１には、連続波用温度補償用対応表５２と、バースト波用温度補償用対応表５３が記憶されている。
【００７６】
副増幅器４１は、入力端から入力される信号を増幅して可変減衰器４２へ出力する。
可変減衰器４２は、可変な減衰量で信号を減衰させる機能を有しており、制御部４５により制御される減衰量で副増幅器４１から入力される信号を減衰させて主増幅器４３へ出力する。
【００７７】
主増幅器４３は、可変減衰器４２から入力される信号を増幅して出力端へ出力する。
温度検出部４４は、例えば温度検出素子から構成されており、主増幅器４３の温度を検出し、当該検出結果を制御部４５へ出力する。
【００７８】
また、本例では、本例に係る増幅装置の外部に存する連続波バースト波判別部から制御部４５へ、本例に係る増幅装置の入力端から副増幅器４１に入力される信号が連続波であるか或いはバースト波であるかを示す情報Ｊが入力される。なお、連続波バースト波判別部は、例えば本例に係る増幅装置が設けられる装置などに備えられる。
【００７９】
連続波用温度補償用対応表５２では、連続波に関して、複数の温度と、それぞれの温度に対応した可変減衰器４２の制御態様とが対応付けられて設定されている。
同様に、バースト波用温度補償用対応表５２では、バースト波に関して、複数の温度と、それぞれの温度に対応した可変減衰器４２の制御態様とが対応付けられて設定されている。
ここで、本例では、可変減衰器４２の制御態様として、可変減衰器４２の減衰量を特定するような情報が用いられている。
【００８０】
制御部４５は、連続波バースト波判別部から入力される情報Ｊが連続波であることを示す情報である場合には連続波用温度補償用対応表５２を参照する一方、連続波バースト波判別部から入力される情報Ｊがバースト波であることを示す情報である場合にはバースト波用温度補償用対応表５３を参照して、温度検出部４４により検出された温度に対応した制御態様で可変減衰器４２の減衰量を制御する。
【００８１】
なお、可変減衰器４２の代わりに、可変増幅器を用いることも可能である。この場合、可変増幅器は、可変な増幅量で信号を増幅する機能を有しており、制御部４５により制御される増幅量で副増幅器４１から入力される信号を増幅して主増幅器４３へ出力する。また、この場合、連続波温度補償用対応表５２やバースト波温度補償用対応表５３には可変増幅器の増幅量に関する制御態様が設定され、制御部４５は可変増幅器の増幅量を制御する。
【００８２】
また、本例では、対応表５２、５３を選択する方法として、例えば、制御部４５にスイッチなどから構成される設定用ポートを設けるような方法や、上位の装置から連続波であるか或いはバースト波であるかを示す情報Ｊを受け取るなどのように外部から波形情報を得て対応表５２、５３を選択するような方法を用いた。
また、対応表５２、５３を選択する方法として、例えば入力される信号の波形を認識する手段を増幅装置内に有して当該波形認識手段による認識結果に基づいて対応表５２、５３を選択する方法のように、増幅装置により自発的に連続波であるか或いはバースト波であるかを判定して対応表５２、５３を選択するような方法を用いることも可能である。
【００８３】
また、本例では、温度情報と補正値との関係を対応表５２、５３により設定したが、例えば温度情報を変数とする関数により補正値が算出されるような場合には、対応表５２、５３の代わりに、連続波用の関数とバースト波用の関数との２つの異なる関数を設定することも可能であり、或いは、連続波用とバースト波用とで関数の係数以外の部分を同一として連続波用の係数とバースト波用の係数との２種類の異なる係数を設定するようなことも可能である。
【００８４】
以上のように、本例に係る増幅装置では、内部の発熱部品近傍に設置された温度検出部４４により得られる温度情報を参照して、その温度値に対応した補正値（設定値）を可変減衰器（若しくは、可変増幅器）４２に対して与えることにより、共通増幅器の利得に関して温度補償が行われる。また、温度情報と補正値との関係は制御部４５内に対応表５２、５３の形で保存される。
【００８５】
ここで、本例に係る温度補償の原理を説明すると、例えば、増幅器４１、４３を通過する信号の波形が一定である場合には、その波形における主増幅器４３及び副増幅器４１の利得の温度による変化に基づいて補正値を設定すればよい。しかしながら、例えば連続波に対応して利得の補正が行われる増幅装置に対してバースト波が入力されるような場合には、信号波形と発熱との関係が素子ごとにまちまちであることから、増幅装置全体としては内部の熱の分布状態が変化し、この影響により増幅装置全体としての利得の温度補償が正確に行われなくなる。
【００８６】
そこで、本例に係る増幅装置では、上述のように、連続波を入力した場合における温度と利得変動との関係とバースト波を入力した場合における温度と利得変動との関係を事前に評価して、これら双方についての補正値の対応表５２、５３を制御部４５内の記憶装置５１に有する形を取り、これにより、入力信号波形の状況に応じて対応表５２、５３を選択して利得の温度補償を正確に行う。
【００８７】
このように、本例に係る増幅装置では、温度補償用の対応付けを複数有し、例えば簡易な切替装置や或いはソフトウエア的な処理や或いは装置内の判別回路などを用いて当該増幅装置を通過する電波の波形に合った温度補償用対応付けを選択することにより、当該増幅装置を通過する電波の波形に合った温度補償を行うことができる。
【００８８】
従って、本例に係る増幅装置では、例えば連続波とバースト波とが混在するようなシステムで用いられるような場合に、従来と比べて、当該増幅装置全体としての利得の制御を高精度に行うことができ、当該利得の安定度を向上させることができる。
【００８９】
次に、本例に係る増幅装置の他の例を示す。
図４には、本例に係る増幅装置の他の構成例を示してあり、本例に係る増幅装置は共通増幅器として構成されている。
本例に係る増幅装置には、副増幅器６１と、２つの検波回路（第１の検波回路６２、第２の検波回路６３）と、可変減衰器６４と、主増幅器６５と、温度検出部６６と、制御部６７とが備えられている。ここで、２つの検波回路６２、６３は副増幅器６１に備えられており、また、温度検出部６６は主増幅器６５に備えられている。
【００９０】
また、制御部６７には、記憶装置７１が備えられている。
また、記憶装置７１には、連続波用温度補償用対応表７２と、バースト波用温度補償用対応表７３が記憶されている。
なお、可変減衰器６４の代わりに、可変増幅器を用いることも可能である。
【００９１】
ここで、本例に係る増幅装置の構成や動作は、入力される信号が連続波であるか或いはバースト波であるかを２つの検波回路６２、６３を用いて判定する点を除いては、例えば上記図３に示した増幅装置の構成や動作と同様である。このため、本例では、上記図３に示した増幅装置とは異なる部分について詳しく説明する。
【００９２】
第１の検波回路６２は、例えば検波器を用いて構成されており、第１の時定数を用いて入力端から入力される信号を検波し、当該検波結果を制御部６７へ出力する。
同様に、第２の検波回路６３は、例えば検波器を用いて構成されており、第２の時定数を用いて入力端から入力される信号を検波し、当該検波結果を制御部６７へ出力する。
制御部６７は、第１の検波回路６２から入力される検波結果と第２の検波回路６３から入力される検波結果に基づいて、入力される信号が連続波であるか或いはバースト波であるかを判定する。
【００９３】
このように、本例に係る増幅装置では、入力される信号のレベルを検波する回路を二重化して、互いに時定数が異なる２つの検波回路６２、６３を用いており、これら２つの検波回路６２、６３による検出電圧の差に基づいて入力波が連続波であるか或いはバースト波であるかを判別し、当該判別結果に対応した対応表７２、７３を選択する。
【００９４】
具体的には、本例では、２つの検波回路６２、６３のうちの一方の検波回路をバースト波でも検波可能なような十分に早い応答時間を有する回路とし、当該一方の検波回路と比べて他方の検波回路を遅い応答時間を有する回路として、これら２つの検波回路６２、６３について連続波が入力された場合における検波電圧が同一のレベルとなるように設定してある。この場合、バースト波が入力された場合には、応答時間が遅い方の検波回路による検波電圧は、応答時間が早い方の検波回路による検波電圧と比べて、相対的に低くなる。
【００９５】
制御部６７では、これら２つの検波電圧の差を例えば比較器を用いて判定することや例えば直接的に制御素子を用いて判定することにより、入力される信号が連続波であるか或いはバースト波であるかを判定する。そして、制御部６７では、当該判定結果に基づいて対応表７２、７３を選択し、これにより、正確で高精度な温度補償を行うことができる。
なお、本例では、異なる時定数を有した２つの検波回路６２、６３を用いたが、例えば異なる検波方式を用いて検波を行う２つの検波回路を用いることも可能である。
【００９６】
以上のように、本例に係る増幅装置では、連続波とバースト波との双方に対応するために、連続波用とバースト波用との２つに対応して温度情報と補正値との温度補償用対応表７２、７３を２つ有し、当該増幅装置内の波形判別機能６２、６３、６７により入力波が連続波であるか或いはバースト波であるかを判別した結果に基づいて、連続波とバースト波とのそれぞれに対して正確に温度補償を行うことができる方の対応表７２、７３を選択して用いることにより、当該増幅装置全体としての利得の安定化を図ることができる。
【００９７】
なお、上記図３や上記図４に示した増幅装置では、可変減衰器（若しくは、可変増幅器）４２、６４の機能により増幅対象信号振幅変化手段が構成されており、連続波用温度補償用対応表５２、７２の内容により連続波に関する温度と増幅対象信号振幅変化手段の制御態様との対応付けが構成されており、バースト波用温度補償用対応表５３、７３の内容によりバースト波に関する温度と増幅対象信号振幅変化手段の制御態様との対応付けが構成されており、記憶装置５１、７１の機能により連続波温度制御態様記憶手段やバースト波温度制御態様記憶手段が構成されており、外部からの情報や或いは複数の検波回路６２、６３を用いて増幅対象となる信号が連続波であるか或いはバースト波であるかを検出する機能により連続波バースト波検出手段が構成されており、温度検出部４４、６６の機能により温度検出手段が構成されており、制御部４５、６７の機能により増幅対象信号振幅変化制御手段が構成されている。
【００９８】
ここで、本発明に係る歪み補償増幅装置や増幅装置などの構成としては、必ずしも以上に示したものに限られず、種々な構成が用いられてもよい。なお、本発明は、例えば本発明に係る処理を実行する方法や、このような方法を実現するためのプログラムなどとして提供することも可能である。
また、本発明の適用分野としては、必ずしも以上に示したものに限られず、本発明は、種々な分野に適用することが可能なものである。
【００９９】
また、本発明に係る歪み補償増幅装置や増幅装置などにおいて行われる各種の処理としては、例えばプロセッサやメモリ等を備えたハードウエア資源においてプロセッサがＲＯＭ（Ｒｅａｄ　Ｏｎｌｙ　Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ　Ｄｉｓｃ）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【０１００】
【発明の効果】
以上説明したように、本発明に係る歪み補償増幅装置によると、信号を増幅する増幅器で発生する歪みを補償するに際して、増幅器による増幅対象となる信号が連続波である場合における温度と歪み補償態様との対応付けを記憶し、増幅器による増幅対象となる信号がバースト波である場合における温度と歪み補償態様との対応付けを記憶し、そして、増幅器による増幅対象となる信号が連続波であるか或いはバースト波であるかを検出し、温度を検出し、連続波であるか或いはバースト波であるかの検出結果に対応した対応付けに基づいて検出された温度に対応した歪み補償態様を用いて歪み補償を行うようにしたため、連続波とバースト波との両方に対応して歪み補償に関して温度補償を行うことができ、これにより、温度にかかわらずに歪み補償の精度を安定化することができる。
【図面の簡単な説明】
【図１】本発明に係る歪み補償増幅装置の一例を示す図である。
【図２】連続波用温度補償用対応表の内容の一例とバースト波用温度補償用対応表の内容の一例を示す図である。
【図３】増幅装置の一例を示す図である。
【図４】増幅装置の他の例を示す図である。
【図５】従来例に係るフィードバックループを有した共通増幅器の一例を示す図である。
【図６】従来例に係る温度補償用対応表を有した共通増幅器の一例を示す図である。
【符号の説明】
１、５・・分配器、　２、８・・減衰器、　３、９・・位相器、
４、４３、６５・・主増幅器、　６、１１・・遅延線、　７、１２・・合成器、
１０・・歪み増幅器、　２１・・周囲温度検出器、
２２・・入力レベル検出器、　２３・・信号種別検出器、
２４、４５、６７・・制御部、　３１、５１、７１・・記憶装置、
３２、５２、７２・・連続波用温度補償用対応表、
３３、５３、７３・・バースト波用温度補償用対応表、　Ｐ・・外部入力端子、
Ｑ・・外部出力端子、　４１、６１・・副増幅器、　６２、６３・・検波回路、
４２、６４・・可変減衰器（又は、可変増幅器）、
４４、６６・・温度検出部、
【図１】
2004040280.tif 000003
【図２】
2004040280.tif 000004
【図３】
2004040280.tif 000005
【図４】
2004040280.tif 000006
【図５】
2004040280.tif 000007
【図６】
2004040280.tif 000008